(57)【要約】【課題】  毎日使用する石鹸は、安全であることが第一である。天然物で、飲食用の植物、海産物から素材を選択し、体に安全で安心して使用できる石鹸の製造方法を提供することである。【解決手段】  人体に安全で、肌を洗う石鹸は、あわび殻体粉末品のミネラル成分と、飲用植物、飲用海産物が持つ肌にやさしい成分を含有するあわび殻体粉末品混合濃縮水を製造し、苛性ソーダを混入したあわび殻体粉末品混合濃縮液を生成し、植物性混合オイルとを混合し、攪半し、石鹸溶液を生成し、型成形することにより安心して使用でき、肌にやさしさを与えることができる石鹸の製造方法である。【選択図】なし【特許請求の範囲】
【請求項１】
あわび殻体粉末品混合濃縮液と、植物性混合オイルとを混合し、攪半し、石鹸溶液を生成し、型成形してなる石鹸。  
【請求項２】
請求項１記載の石鹸において、
前記あわび殻体粉末品混合濃縮液は、あわび殻体粉末品混合濃縮水に苛性ソーダ少量づつ混合し、攪半し、生成することを特徴とするもの。
【請求項３】
請求項２記載の石鹸において、
前記あわび殻体粉末品混合濃縮水は、あわび殻体粉末品、肌効用剤、および飲料水とを混合し、加熱沸騰処理し、濾過処理し、生成することを特徴とするもの。
【請求項４】
請求項３記載の石鹸において、
前記あわび殻体粉末品は、あわび貝殻表面の外殻皮に付く不着物を除去し、外殻皮  および  不純物混入部を研削加工で削除し、稜中層と、真珠層からなるあわび殻体を生成し、前記あわび殻体を粉砕加工、乾式研削加工で生成することを特徴とするもの。
【請求項５】
請求項３記載の石鹸において、
前記肌効用剤は、ヨモギ、ドクダミ、柿、桜、アロエ、金柑、柚子、カリン、ゴーヤ、大豆、および小豆の肌効用植物を水洗いし、乾燥処理し、粉砕加工し、肌効用植物粉末品を生成し、ナマコ、牡蠣、アメフラシの半固形品と、水洗いしたワカメ茎下部のめかぶ刻み品の肌効用海産物を、乾燥処理し、粉砕加工し、肌効用海産物粉末品を生成し、前記肌効用植物粉末品と、前記肌効用海産物粉末品より選ばれる少なくとも１種とすることを特徴とするもの。
【請求項６】
請求項３記載の石鹸において、
前記飲料水は、地下水、水道水より選ばれる少なくとも１種とすることを特徴とするもの。
【請求項７】
前記植物性混合オイルは、主材のオリーブオイルと、副材のココナッツオイル、パームオイル、ツバキオイル、ひまし油、および、ホホバオイルより選ばれる少なくとも１種の副材植物オイルを混合し、攪半し、液状保温することを特徴とする請求項１記載の石鹸。
【請求項８】
前記石鹸溶液は、前記植物性混合オイルに、前記あわび殻体粉末品混合濃縮液を少量づつ混入し、攪半し、生成することを特徴とする請求項１記載の石鹸。
【請求項９】
前記型成形は、前記石鹸溶液を石鹸形状となる丸型、楕円型、四角型、ハート型の型成形品に流し入れ、型成形することを特徴とする請求項１記載の石鹸。
【発明の詳細な説明】
【技術分野】
【０００１】
本発明は、肌を洗い、うるおいある肌とする石鹸に関するものである。
【背景技術】
【０００２】
肌を洗い、肌を守る石鹸は、皮膚障害、アレルギー性反応を起こさない、高い安全性であること。化学物資を配合する石鹸は、肌の安全性に疑問を感じる。安心して使用することができる石鹸は、化学物質の配合をなくし、天然物である、あわび殻体粉末品、植物、海産物の肌効用剤、および植物性混合オイルとで混合生成することである。
【０００３】
あわび殻体粉末品を生成する方法として、あわびの貝殻を高温焼成処理、粉砕処理で生成する方法で、生成した粉体を含有した化粧料（特許文献１参照）が提供されている。しかし貝殻外殻皮に付いた海藻、フジツボ、外殻皮、および貝殻の不純物混入部とともに高温焼成処理、粉砕処理することは、純粋なあわび貝殻粉末品でない。
【先行技術文献】
【特許文献】
【０００４】
【特許文献１】特開２００１−０４８７４８号公報。
【発明の概要】
【発明が解決しようとする課題】
【０００５】
従来の技術では、あわび貝殻の外殻皮に付いた付着物、外殻皮、および不純物混入部を除去せず粉砕処理することは、あわび殻体粉末品に不純物を含有するという問題があった。
本願発明は、従来の問題点を解決するもので、あわび貝殻の外殻皮に付いた付着物を除去し、外殻皮、および不純物混入部を削除し、稜中層と真珠層で形成したあわび殻体の粉末品を生成し、主成分の炭酸カルシウム、ミネラル、アミノ酸を含有するあわび殻体粉末品と肌効用剤とを混合する石鹸を提供することを課題とする。
【課題を解決するための手段】
【０００６】
上述した課題を解決するために、本発明の石鹸は、あわび殻体粉末品混合濃縮液と、植物性混合オイルを混合し、攪半し、石鹸溶液を生成し、型成形することである。
【０００７】
あわび貝殻の外殻皮に付く付着物を除去し、外殻皮  および  不純物混入部を研削加工で削除し、稜中層と真珠層からなるあわび殻体を生成し、前記あわび殻体を粉砕加工、乾式研削加工で生成するあわび殻体粉末品。
ヨモギ、ドクダミ、柿、桜、アロエ、金柑、柚子、カリン、ゴーヤ、大豆、および小豆の肌効用植物を水洗いし、乾燥処理し、粉砕加工し、肌効用植物粉末品を生成する。ナマコ、牡蠣、およびアメフラシの半固形品と、水洗いしたワカメの茎下部のめかぶ刻み品の肌効用海産物を、乾燥処理し、粉砕加工し、肌効用海産物粉末品を生成する。前記肌効用植物粉末品と、前記肌効用海産物粉末品より選ばれる少なくとも１種とする肌効用剤。
あわび殻体粉末品混合濃縮水は、前記あわび殻体粉末品、前記肌効用剤、および飲料水を混合し、加熱沸騰処理し、濾過処理し、生成する。あわび殻体粉末品混合濃縮液は、前記あわび殻体粉末品混合濃縮水に苛性ソーダを少量づつ混合し、攪半し、生成する。
植物性混合オイルは、主材のオリーブオイルと、副材のココナッツオイル、パームオイル、ツバキオイル、ひまし油、およびホホバオイルより選ばれる少なくとも１種の副材植物オイルとを混合し、攪半し、生成する。
石鹸溶液は、前記植物性混合オイルに、前記あわび殻体粉末品混合濃縮液を混合し、攪半し、生成する。
生成した前記石鹸溶液を型成形し、石鹸を生成する。
【発明の効果】
【０００８】
炭酸カルシウム、ミネラル、アミノ酸を含有するあわび殻体粉末品、うるおいある肌とする肌効用成分を含有する肌効用剤、および植物性混合オイルを混合し、石鹸溶液を生成し、安全で、安心して使用できる石鹸を提供できる。
【発明を実施するための形態】
【０００９】
本発明の生成工程を詳細に説明する。
本発明で使用するあわび殻体粉末品は、あわび貝殻表面の外殻皮に付く付着物を除去し、外殻皮、あわび貝殻本体内に存在する不純物混入部を研削加工で削除し、稜中層と真珠層からなるあわび殻体から生成する。
肌効用植物と、肌効用海産物は、天然物で、人の肌に安全で、飲食もできる植物、海産物である。
【００１０】
前記あわび殻体粉末品は、上述の稜中層と真珠層からなるあわび殻体を粉砕機で粉砕加工、乾式研削加工で生成する。
【００１１】
本発明で使用する肌効用植物粉末品は、肌効用植物のヨモギ、ドクダミ、アロエの葉、茎を水洗いし、柿、桜、金柑、柚子の若葉を水洗いし、カリン、ゴーヤの果実を輪切りし、皮と、種子を取り除き果肉を水洗いし、大豆、小豆の種子を水洗いし、自然乾燥、通風乾燥で乾燥処理し、粉砕機で粉砕加工し、生成する。
【００１２】
本発明で使用する肌効用海産物粉末品は、ナマコ、牡蠣、アメフラシの内臓を除去し、煮詰め処理、またはマイクロ波加熱加工し、半固形品とする。水洗いしたワカメの茎下部のめかぶを刻んで、めかぶ刻み品とする。前記ナマコ、牡蠣、アメフラシの半固形品と、めかぶ刻み品を自然乾燥、通風乾燥で乾燥処理し、粉砕機で粉砕加工し、生成する。
【００１３】
前記肌効用植物粉末品  および  前記肌効用海産物粉末品より選ばれる少なくとも１種の肌効用剤を生成する。
【００１４】
前記あわび殻体粉末品２．０〜３．５質量％、前記肌効用剤０．４〜１．２質量％、および地下水、または水道水の飲料水とを混合し、加熱沸騰処理し、濾過処理で、炭酸カルシウム、アミノ酸、およびうるおい成分を含有する、あわび殻体粉末品混合濃縮水を生成する。
前記あわび殻体粉末品混合濃縮水に苛性ソーダ２４．０〜２８．０質量％を少量づつ混入し、攪半し、液温４０℃〜６０℃を保持し、苛性ソーダを含有するあわび殻体粉末品混合濃縮液を生成する。
【００１５】
植物性混合オイルは、主材のオリーブオイル６７．０〜７２．０質量％と、副材のココナッツオイル、パームオイル、ツバキオイル、ひまし油およびホホバオイルより選ばれる少なくとも１種の副材植物オイルとを油温４０℃〜６０℃で混合し、攪半し、液状保温する。
【００１６】
前記油温４０℃〜６０℃の植物性混合オイルに、液温４０℃〜６０℃の前記あわび殻体粉末品混合濃縮液を少量づつ混入し、攪半し、石鹸溶液を生成し、石鹸形状となる丸型、楕円型、四角型、ハート型の成形品に流し入れ、型成形する。
【手続補正書】
【提出日】平成28年11月9日(2016.11.9)
【手続補正１】
【補正対象書類名】明細書
【補正対象項目名】全文
【補正方法】変更
【補正の内容】
【発明の詳細な説明】
【技術分野】
【０００１】
本発明は、手、肌を洗うあわび石鹸に関するものである。
【背景技術】
【０００２】
肌を洗い、肌を守る石鹸は、皮膚障害、アレルギー性反応を起さない、高い安全性であること。化学物資を配合する石鹸は、肌の安全性に疑問を感じる。安心して使用することができる石鹸は、化学物質の配合をなくし、天然物である、あわび殻体粉末品を配合するものである。
【０００３】
あわび殻体粉末品を生成する方法として、あわびの貝殻を高温焼成処理、粉砕処理で生成する方法で、生成した粉体を含有した化粧料（特許文献１参照）が提供されている。しかし貝殻外殻皮に付いた海藻、フジツボ、外殻皮、および貝殻の不純物混入部とともに高温焼成処理、粉砕処理することは、純粋なあわび貝殻粉末品でない。      
【先行技術文献】
【特許文献】
【０００４】
【特許文献１】特開２００１−０４８７４８号公報。
【発明の概要】
【発明が解決しようとする課題】
【０００５】
従来の技術では、あわび貝殻の外殻皮に付いた付着物、外殻皮、および不純物混入部を除去せず粉砕処理することは、あわび殻体粉末品に不純物を含有するという問題があった。 本願発明は、従来の問題点を解決するもので、あわび貝殻の稜中層と真珠層からなる粉末品を配合してなるあわび石鹸を提供することを課題とする。
【課題を解決するための手段】
【０００６】
上述した課題を解決する、本発明のあわび石鹸は、あわび殻体粉末品を配合することである。
【０００７】
あわび殻体粉末品は、あわび貝殻の稜中層と、真珠層とを生成してなるものである。
【発明の効果】
【０００８】
天然物であるあわび殻体粉末品を配合することで、安全で、安心して使用できるあわび石鹸を提供することができる。
【発明を実施するための形態】
【０００９】
本発明のあわび石鹸は、石鹸の配合物にあわび殻体粉末品を使用するものであり、前記あわび殻体粉末品を説明する。
【００１０】
前記あわび殻体粉末品は、あわび貝殻の稜中層、真珠層からなるものである。
【００１１】
上述のあわび石鹸は、天然物であるあわび貝殻の粉末を活用し作るものであり、体にやさしく、安全であり、安心して使用できる。
【手続補正２】
【補正対象書類名】特許請求の範囲
【補正対象項目名】全文
【補正方法】変更
【補正の内容】
【特許請求の範囲】
【請求項１】
石鹸の配合物にあわび殻体粉末品を使用してなることを特徴とする、あわび石鹸。
【請求項２】
前記あわび殻体粉末品は、あわび貝殻の稜中層、真珠層からなることを特徴とする請求項１記載のあわび石鹸。
【手続補正書】
【提出日】平成28年12月22日(2016.12.22)
【手続補正１】
【補正対象書類名】明細書
【補正対象項目名】全文
【補正方法】変更
【補正の内容】
【発明の詳細な説明】
【技術分野】
【０００１】
本発明は、あわびの稜柱層と真珠層からなるあわび殻体粉末品からなる石鹸の製造方法に関するものである。
【背景技術】
【０００２】
不純物が混入していない、あわびの稜柱層と真珠層からなるあわび殻体粉末品、植物、海産物の粉末品、および植物性混合オイルとを混合し、製造することである。
【０００３】
あわび殻体粉末品を製造する方法として、あわびの貝殻を高温焼成処理、粉砕処理で製造する方法で、製造した粉体を含有した化粧料（特許文献１参照）が提供されている。しかし貝殻外殻皮に付いた海藻、フジツボ、外殻皮、および貝殻の不純物混入部とともに高温焼成処理、粉砕処理することは、純粋なあわび貝殻粉末品でない。
【先行技術文献】
【特許文献】
【０００４】
【特許文献１】特開２００１−０４８７４８号公報。
【発明の概要】
【発明が解決しようとする課題】
【０００５】
従来の技術では、あわび貝殻の外殻皮に付いた付着物、外殻皮、および不純物混入部を除去せず粉砕処理することは、あわび殻体粉末品に不純物を含有するという問題があった。
本願発明は、従来の問題点を解決するもので、あわび貝殻の外殻皮に付いた付着物を除去し、外殻皮、および不純物混入部を削除し、稜柱層と真珠層で形成したあわび殻体の粉末品を製造し、主成分の炭酸カルシウム、ミネラル、アミノ酸を含有するあわび殻体粉末品を混合する石鹸の製造方法を提供することを課題とする。
【課題を解決するための手段】
【０００６】
上述した課題を解決するために、本発明の石鹸の製造方法は、あわび殻体粉末品混合濃縮液と、植物性混合オイルを混合し、攪半し、石鹸溶液を製造し、型成形する石鹸の製造方法である。
【０００７】
あわび貝殻の外殻皮に付く付着物を除去、外殻皮と不純物混入部を研削加工で削除し、稜柱層と真珠層からなるあわび殻体を製造し、前記あわび殻体を粉砕加工、乾式研削加工で製造するあわび殻体粉末品。
ヨモギ、ドクダミ、柿、桜、アロエ、金柑、柚子、カリン、ゴーヤ、大豆、および小豆の植物を水洗いし、乾燥処理し、粉砕加工し、植物粉末品を製造する。ナマコ、牡蠣、およびアメフラシの半固形品、ワカメの茎下部を、乾燥処理し、粉砕加工し、海産物粉末品を製造する。前記植物粉末品と、前記海産物粉末品より選ばれる少なくとも１種とする植物、海産物の粉末品。
あわび殻体粉末品混合濃縮水は、前記あわび殻体粉末品、前記植物、海産物の粉末品、および飲料水を混合し、加熱沸騰処理し、製造する。あわび殻体粉末品混合濃縮液は、前記あわび殻体粉末品混合濃縮水に苛性ソーダを少量ずつ混合し、攪半し、製造する。
植物性混合オイルは、主材のオリーブオイルに、副材のココナッツオイル、パームオイル、およびホホバオイルより選ばれる少なくとも１種の副材植物オイルを混合し、攪半し、製造する。
石鹸溶液は、前記植物性混合オイルに、前記あわび殻体粉末品混合濃縮液を混合し、攪半し、製造する。
前記石鹸溶液を型成形し、石鹸を製造する。
【発明の効果】
【０００８】
炭酸カルシウム、ミネラル、アミノ酸を含有するあわび殻体粉末品、植物、海産物の粉末品、および植物性混合オイルを混合し、石鹸溶液を製造し、型成形する石鹸の製造方法を提供できる。
【発明を実施するための形態】
【０００９】
本発明の石鹸の製造方法を詳細に説明する。
本発明で使用するあわび殻体粉末品は、あわび貝殻表面の外殻皮に付く付着物を除去、外殻皮と不純物混入部を研削加工で削除し、稜柱層と真珠層からなるあわび殻体から製造する。
【００１０】
前記あわび殻体粉末品は、上述の稜柱層と真珠層からなるあわび殻体を粉砕加工、乾式研削加工で製造する。
【００１１】
本発明で使用する植物粉末品は、ヨモギ、ドクダミ、アロエの葉、茎を水洗いし、柿、桜、金柑、柚子の若葉を水洗いし、カリン、ゴーヤの果実を輪切りし、皮と、種子を取り除き果肉を水洗いし、大豆、小豆の種子を水洗いし、自然乾燥、通風乾燥の乾燥処理、粉砕機で粉砕加工し、製造する。
【００１２】
本発明で使用する海産物粉末品は、ナマコ、牡蠣、アメフラシの内臓を除去し、煮詰め処理、またはマイクロ波加熱加工し、半固形品とする。ワカメの茎下部を水洗いする。前記ナマコ、牡蠣、アメフラシの半固形品、ワカメの茎下部を自然乾燥、通風乾燥の乾燥処理、粉砕機で粉砕加工し、製造する。
【００１３】
前記植物粉末品  および  前記海産物粉末品より選ばれる少なくとも１種からなる植物、海産物の粉末品を製造する。
【００１４】
前記あわび殻体粉末品２．０〜３．５質量％と、前記植物、海産物の粉末品０．４〜１．２質量％と、地下水、水道水の飲料水とを混合し、加熱沸騰処理し、炭酸カルシウム、アミノ酸を含有する、あわび殻体粉末品混合濃縮水を製造する。
前記あわび殻体粉末品混合濃縮水に苛性ソーダ２４．０〜２８．０質量％を少量ずつ混入し、攪半し、液温４０℃〜６０℃を保持し、苛性ソーダを含有するあわび殻体粉末品混合濃縮液を製造する。
【００１５】
植物性混合オイルは、主材のオリーブオイル６７．０〜７２．０質量％と、副材のココナッツオイル、パームオイル、およびホホバオイルより選ばれる少なくとも１種の副材植物オイルとを油温４０℃〜６０℃で混合し、攪半し、液状保温する。
【００１６】
前記油温４０℃〜６０℃の植物性混合オイルに、液温４０℃〜６０℃の前記あわび殻体粉末品混合濃縮液を少量ずつ混入し、攪半し、石鹸溶液を製造し、石鹸形状となる成形状品に流し入れ、型成形してなる石鹸の製造方法である。
【手続補正２】
【補正対象書類名】特許請求の範囲
【補正対象項目名】全文
【補正方法】変更
【補正の内容】
【特許請求の範囲】
【請求項１】
あわび殻体粉末品混合濃縮液と、植物性混合オイルとを混合し、攪半し、石鹸溶液を製造し、型成形することを特徴とする、石鹸の製造方法。
【請求項２】
前記あわび殻体粉末品混合濃縮液は、あわび殻体粉末品混合濃縮水に苛性ソーダ少量ずつ混合し、攪半し、製造することを特徴とする請求項１記載の石鹸の製造方法。
【請求項３】
前記あわび殻体粉末品混合濃縮水は、あわび殻体粉末品と、植物、海産物の粉末品と、飲料水とを混合し、加熱沸騰処理し、製造することを特徴とする請求項１記載の石鹸の製造方法。
【請求項４】
前記あわび殻体粉末品は、あわび貝殻表面の外殻皮に付く不着物を除去、外殻皮と不純物混入部を研削加工で削除し、稜柱層と、真珠層からなるあわび殻体を製造し、前記あわび殻体を粉砕加工、乾式研削加工で製造することを特徴とする請求項１記載の石鹸の製造方法。
【請求項５】
前記植物、海産物の粉末品は、ヨモギ、ドクダミ、柿、桜、アロエ、金柑、柚子、カリン、ゴーヤ、大豆、および小豆の植物を水洗いし、乾燥処理し、粉砕加工し、植物粉末品を製造し、ナマコ、牡蠣、アメフラシの半固形品、ワカメの茎下部を、乾燥処理し、粉砕加工し、海産物粉末品を製造し、前記植物粉末品と、前記海産物粉末品より選ばれる少なくとも１種とすることを特徴とする請求項１記載の石鹸の製造方法。
【手続補正書】
【提出日】平成29年1月31日(2017.1.31)
【手続補正１】
【補正対象書類名】明細書
【補正対象項目名】全文
【補正方法】変更
【補正の内容】
【発明の詳細な説明】
【技術分野】
【０００１】
本発明は、あわび殻体粉末品混合濃縮液と、植物性混合オイルとを混合し、石鹸溶液を生成する石鹸の製造方法に関するものである。
【背景技術】
【０００２】
肌を洗い、肌を守る石鹸は、皮膚障害、アレルギー性反応を起こさない、高い安全性であること。化学物資を配合する石鹸は、肌の安全性に疑問を感じる。安心して使用することができる石鹸は、化学物質の配合をなくし、天然物である、あわび殻体粉末品、植物、海産物の粉末品、および植物性混合オイルとで混合生成する石鹸の製造方法から製造されるものである。
【０００３】
あわび殻体粉末品を生成する方法として、あわびの貝殻を高温焼成処理、粉砕処理で生成する方法で、生成した粉体を含有した化粧料（特許文献１参照）が提供されている。しかし貝殻外殻皮に付いた海藻、フジツボ、外殻皮、および貝殻の不純物混入部とともに高温焼成処理、粉砕処理することは、純粋なあわび殻体粉末品でない。
【先行技術文献】
【特許文献】
【０００４】
【特許文献１】特開２００１−０４８７４８号公報。
【発明の概要】
【発明が解決しようとする課題】
【０００５】
従来の技術では、あわび貝殻の外殻皮に付いた付着物、外殻皮、および不純物混入部を除去せず粉砕処理することは、あわび殻体粉末品に不純物を含有するという問題があった。 本願発明は、従来の問題点を解決するもので、あわび貝殻の外殻皮に付いた付着物を除去し、外殻皮、および不純物混入部を削除し、稜柱層と真珠層からなるあわび殻体から粉末品を生成し、主成分の炭酸カルシウム、ミネラル、アミノ酸を含有するあわび殻体粉末品を混合する石鹸の製造方法を提供することを課題とする。
【課題を解決するための手段】
【０００６】
上述した課題を解決するために、本発明の石鹸の製造方法は、あわび殻体粉末品混合濃縮液と、植物性混合オイルとを混合し、攪半し、石鹸溶液を生成し、型成形する石鹸の製造方法であり、前記あわび殻体粉末品混合濃縮液は、あわび殻体粉末混合濃縮水に苛性ソーダを少量づつ混合し、撹拌されることにより製造され、
前記あわび殻体粉末品混合濃縮水は、あわび殻体粉末品、植物、海産物の粉末品と、飲料水とを混合し、加熱沸騰処理されることにより製造され、
前記あわび殻体粉末品は、あわび貝殻表面の外殻皮に付く不純物を除去、外殻皮と不純物混入部を研削加工で削除し、稜柱層と、真珠層からなるあわび殻体を製造し、前記あわび殻体を粉砕加工、乾式研削加工からなる石鹸の製造方法である。
【０００７】
前記植物、海産物の粉末品は、ヨモギ、ドクダミ、柿、桜、アロエ、金柑、柚子、カリン、ゴーヤ、大豆、および小豆の植物を水洗いし、乾燥処理し、粉砕加工し、植物粉砕品を製造し、ナマコ、牡蠣、アメフラシの半固形品、ワカメの茎下部を、乾燥処理し、粉砕加工し、海産物粉末品を製造し、前記植物粉末品と、前記海産物粉末品より選ばれる少なくとも1種を混合する石鹸の製造方法である。
【発明の効果】
【０００８】
炭酸カルシウム、ミネラル、アミノ酸を含有するあわび殻体粉末品、植物、海産物の粉末品、および植物性混合オイルを混合し、石鹸溶液を生成し、安全で、安心して使用できる石鹸の製造方法を提供できる。
【発明を実施するための形態】
【０００９】
本発明の石鹸の製造方法を詳細に説明する。 本発明で使用するあわび殻体粉末品は、あわび貝殻表面の外殻皮に付く付着物を除去し、外殻皮、あわび貝殻本体内に存在する不純物混入部を研削加工で削除し、稜柱層と真珠層からなるあわび殻体から生成する。
【００１０】
前記あわび殻体粉末品は、上述の稜柱層と真珠層からなるあわび殻体を粉砕機で粉砕加工、乾式研削加工で生成する。
【００１１】
本発明で使用する植物粉末品は、ヨモギ、ドクダミ、アロエの葉と茎、柿、桜、金柑、柚子の若葉、カリン、ゴーヤの果肉および大豆、小豆の種子をそれぞれ水洗いし、自然乾燥または通風乾燥で乾燥処理し、粉砕機で粉砕加工し、製造する。
【００１２】
本発明で使用する海産物粉末品は、ナマコ、牡蠣、アメフラシの内臓を除去し、煮詰め処理またはマイクロ波加熱処理してなる半固形品と、水洗いしたワカメの茎下部とを自然乾燥または通風乾燥で乾燥処理し、粉砕機で粉砕加工し、製造する。
【００１３】
前記あわび殻体粉末品２．０〜３．５質量％、前記植物粉末品と前記海産物粉末品より選ばれる少なくとも１種を０．４〜１．２質量％および地下水または水道水の飲料水を混合し、加熱沸騰処理し、炭酸カルシウム、アミノ酸を含有するあわび殻体粉末品混合濃縮水を製造する。 前記あわび殻体粉末品混合濃縮水に苛性ソーダ２４．０〜２８．０質量％を少量づつ混入し液温４０℃〜６０℃を保持して攪半することで苛性ソーダを含有するあわび殻体粉末品混合濃縮液を製造する。
【００１４】
植物性混合オイルは、主材のオリーブオイル６７．０〜７２．０質量％と、副材のココナッツオイル、パームオイル、ツバキオイルおよびホホバオイルより選ばれる少なくとも１種の副材植物オイルとを油温４０℃〜６０℃で混合し、攪半し、液状保温する。
【００１５】
前記油温４０℃〜６０℃の植物性混合オイルに、液温４０℃〜６０℃の前記あわび殻体粉末品混合濃縮液を少量づつ混入し、攪半し、石鹸溶液を生成し、丸型、楕円型、四角型およびハート型等の石鹸形状に型成形する石鹸の製造方法である。
【手続補正２】
【補正対象書類名】特許請求の範囲
【補正対象項目名】全文
【補正方法】変更
【補正の内容】
【特許請求の範囲】
【請求項１】
あわび殻体粉末品混合濃縮液と、植物性混合オイルとを混合し、攪半し、石鹸溶液を生成し、型成形することを特徴とする石鹸の製造方法であり、
前記あわび殻体粉末品混合濃縮液は、あわび殻体粉末混合濃縮水に苛性ソーダを少量づつ混合し、撹拌されることにより製造され、
前記あわび殻体粉末品混合濃縮水は、あわび殻体粉末品、植物、海産物の粉末品と、飲料水とを混合し、加熱沸騰処理されることにより製造され、
前記あわび殻体粉末品は、あわび貝殻表面の外殻皮に付く不純物を除去、外殻皮と不純物混入部を研削加工で削除し、稜柱層と、真珠層からなるあわび殻体を製造し、前記あわび殻体を粉砕加工、乾式研削加工により製造されることを特徴とする石鹸の製造方法。
【請求項２】
前記植物、海産物の粉末品は、ヨモギ、ドクダミ、柿、桜、アロエ、金柑、柚子、カリン、ゴーヤ、大豆、および小豆の植物を水洗いし、乾燥処理し、粉砕加工し、植物粉砕品を製造し、ナマコ、牡蠣、アメフラシの半固形品、ワカメの茎下部を、乾燥処理し、粉砕加工し、海産物粉末品を製造し、前記植物粉末品と、前記海産物粉末品より選ばれる少なくとも1種とすることを特徴とする請求項１記載の石鹸の製造方法。